【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
赤外線画像を生成する方法であって：
複数のフレームの各々について、中心アレイデータを生成するようにより速いサンプリング速度でマイクロボロメータアレイの検出器中心領域の複数の中心アレイ要素をサンプリングする段階；
周辺アレイデータを生成するようにより遅いサンプリング速度でマイクロボロメータアレイの検出器周辺領域の複数の周辺アレイ要素をサンプリングする段階であって、前記複数の周辺アレイ要素は複数の副領域を有し、各々の副領域は２つ又はそれ以上の周辺アレイ要素を有し、前記複数の周辺アレイ要素をサンプリングする前記段階は、各々の副領域について、
前記複数のフレームの第１フレームについて各々の副領域の第１サブセットをサンプリングする段階と、
前記複数のフレームの第２フレームについて前記各々の副領域の第２サブセットをサンプリングする段階であって、前記第２サブセットは前記第１サブセットと同じではない、段階と、
を有する、段階；
ディスプレイのディスプレイ中心領域について中心画像データを生成するように前記中心アレイデータを処理する段階；及び
前記ディスプレイのディスプレイ周辺領域について周辺画像データを生成するように前記周辺アレイデータを処理する段階；
を有する方法。
【請求項２】
請求項１に記載の方法であって：
前記第１サブセット及び前記第２サブセットは各々副領域を有する；
方法。
【請求項３】
請求項１に記載の方法であって、前記周辺アレイデータを処理する前記段階は：
前記第１フレーム及び前記第２フレームについて前記複数の周辺アレイ要素の前記第１サブセットから生成される第１画像データを生成する段階；並びに
前記第２フレーム及び第３フレームについて前記複数の周辺アレイ要素の第２サブセットから生成される第２画像データを生成する段階；
を更に有する、方法。
【請求項４】
請求項１に記載の方法であって、前記周辺アレイデータを処理する前記段階は：
前記第１フレームについて前記複数の周辺アレイ要素の前記第１サブセットから生成される第１画像データを生成する段階；及び
前記第２フレームについて前記第１画像データを保つ段階；
を更に有する、方法。
【請求項５】
請求項１に記載の方法であって、前記周辺アレイデータを処理する前記段階は：
前記第１フレームについて前記複数の周辺アレイ要素の前記第１サブセットから生成される第１画像データを生成する段階；及び
前記第２フレームについて前記複数の周辺アレイ要素の前記第２サブセットから生成される第２画像データと前記第１画像データを平均化する段階；  
を更に有する、方法。
【請求項６】
請求項１に記載の方法であって：
前記中心領域を設定するように前記中心アレイ要素として複数のアレイ要素を指定する段階；
を更に有する、方法。
【請求項７】
請求項１に記載の方法であって：
マイクロボロメータ面アレイに対して、１つ又はそれ以上の中心開始アドレス及び１つ又はそれ以上の中心終了アドレスを送ることにより、前記中心領域を設定する段階；
を更に有する、方法。
【請求項８】
請求項１に記載の方法であって：
サンプリングデューティサイクルが変わるにつれて、１つ又はそれ以上の周辺アレイ要素におけるジュール熱の１つ又はそれ以上の変化の影響について補償するように、一定バイアスのデューティサイクルを保つ段階を更に有する；
方法。
【請求項９】
請求項１に記載の方法であって：
サンプリングデューティサイクルが変わるにつれて、１つ又はそれ以上の周辺アレイ要素におけるジュール熱の１つ又はそれ以上の変化の影響について補償するように、前記マイクロボロメータの１つ又はそれ以上のバイアス条件を電気的に調節する段階を更に有する；
方法。
【請求項１０】
請求項１に記載の方法であって：
サンプリングデューティサイクルが変わるにつれて、１つ又はそれ以上の周辺アレイ要素におけるジュール熱の１つ又はそれ以上の変化の影響について補償するように、前記マイクロボロメータの支援回路の動作バイアスを電気的に調節する段階を更に有する；
方法。
【請求項１１】
マイクロボロメータアレイ；及び
１つ又はそれ以上の処理器であって、
複数のフレームの各々について、中心アレイデータを生成するようにより速いサンプリング速度で前記マイクロボロメータアレイの検出器中心領域の複数の中心アレイ要素をサンプリングし、
周辺アレイデータを生成するようにより遅いサンプリング速度で前記マイクロボロメータアレイの検出器周辺領域の複数の周辺アレイ要素をサンプリングし、
ディスプレイのディスプレイ中心領域について中心画像データを生成するように前記中心アレイデータを処理し、
前記ディスプレイのディスプレイ周辺領域について周辺画像データを生成するように前記周辺アレイデータを処理する、
１つ又はそれ以上の処理器；
を有するシステムであって、
前記複数の周辺アレイ要素は複数の副領域を有し、各々の副領域は２つ又はそれ以上の周辺アレイ要素を有し、前記複数の周辺アレイ要素をサンプリングすることは、各々の副領域について、
第１フレームについて前記各々の副領域の第１サブセットをサンプリングし、
第２フレームについて前記各々の副領域の第２サブセットをサンプリングする
ことであり、ここで、前記第２サブセットは前記第１サブセットと同じではない；  
方法。
【請求項１２】
請求項１１に記載のシステムであって：
前記第１サブセット及び前記第２サブセットは各々副領域を有する；
方法。
【請求項１３】
請求項１１に記載のシステムであって、前記周辺アレイデータを前記処理することは：
前記第１フレーム及び前記第２フレームについて前記複数の周辺アレイ要素の前記第１サブセットから生成される第１画像データを生成すること；並びに
前記第２フレーム及び第３フレームについて前記複数の周辺アレイ要素の前記第２サブセットから生成される第２画像データを生成すること；
を更に有する、システム。
【請求項１４】
請求項１１に記載のシステムであって、前記周辺アレイデータを前記処理することは：
前記第１フレームについて前記複数の周辺アレイ要素の前記第１サブセットから生成される第１画像データを生成すること；及び
前記第２フレームについて前記第１画像データを保つこと；
を更に有する、システム。
【請求項１５】
請求項１１に記載のシステムであって、前記周辺アレイデータを前記処理することは：
前記第１フレームについて前記複数の周辺アレイ要素の前記第１サブセットから生成される第１画像データを生成すること；及び
前記第２フレームについて前記複数の周辺アレイ要素の前記第２サブセットから生成される第２画像データと前記第１画像データを平均化すること；  
を更に有する、システム。
【請求項１６】
請求項１１に記載のシステムであって：
前記１つ又はそれ以上の処理器は、前記マイクロボロメータアレイに対して、１つ又はそれ以上の中心開始アドレス及び１つ又はそれ以上の中心終了アドレスを送ることにより、前記中心領域を設定するように更に動作可能である；
システム。
【請求項１７】
請求項１１に記載のシステムであって：
前記１つ又はそれ以上の処理器は、サンプリングデューティサイクルが変わるにつれて、１つ又はそれ以上の周辺アレイ要素におけるジュール熱の１つ又はそれ以上の変化の影響について補償するように、一定バイアスのデューティサイクルを保つように更に動作可能である；
システム。
【請求項１８】
請求項１１に記載のシステムであって：
前記１つ又はそれ以上の処理器は、サンプリングデューティサイクルが変わるにつれて、１つ又はそれ以上の周辺アレイ要素におけるジュール熱の１つ又はそれ以上の変化の影響について補償するように、前記マイクロボロメータアレイの１つ又はそれ以上のバイアス条件を電気的に調節するように更に動作可能である；
システム。